(57)【特許請求の範囲】
【請求項１】
電話の着信時に、一般着信画面の通話アイコン及び通話終了アイコンとは異なる、着信アイコンを表示する表示部と、
前記表示部が前記着信アイコンを表示した後に、前記着信アイコンに対するユーザーからの所定の操作の入力を受けるタッチスクリーンと、
前記所定の操作と、前記着信アイコンに対して予め設定された通話受諾操作とを比較し、比較の結果、前記所定の操作と該通話受諾操作とが一致する場合、通話を許可する通話許可処理部を含む制御部と、
を備え、
前記通話許可処理部は、
前記所定の操作が前記一般着信画面のための通話受信操作の場合、通話を拒絶し、
前記所定の操作が前記一般着信画面のための通話受諾操作とは異なる操作の場合、前記所定の操作を前記予め設定された通話受諾操作と比較し、
比較の結果が一致する場合、通話を許可し、
比較の結果が一致しない場合、前記ユーザーが前記タッチスクリーンに入力する所定の操作を再度受け付ける、
通話制御装置。
【請求項２】
前記制御部は、前記通話受諾操作を設定する設定部をさらに含み、
前記設定部は、
通話受諾操作を設定するための設定画面を出力する設定画面表示部と、
前記設定画面表示部を介して前記ユーザーから前記通話受諾操作の入力を受けて格納する通話受諾操作格納部と、
を含み、
前記通話許可処理部は、前記所定の操作と前記通話受諾操作格納部に格納されている前記通話受諾操作とを比較し、比較の結果、前記所定の操作と前記通話受諾操作格納部に格納されている前記通話受諾操作とが一致する場合、前記通話を許可する、
請求項１に記載の通話制御装置。
【請求項３】
前記制御部は、
前記タッチスクリーンへのタッチから前記所定の操作の入力を完了するまでの有効時間を設定して格納する有効時間格納部と、
前記タッチスクリーンへのタッチから前記有効時間が経過するまでに前記所定の操作の入力が完了しない場合、前記通話を拒絶する通話拒絶処理部と、
をさらに含む、
請求項１または２に記載の通話制御装置。
【請求項４】
前記制御部は、
非常連絡先情報の入力を受けて格納する非常連絡先格納部と、
前記通話許可処理部の機能を解除する解除処理部と、
をさらに含み、
前記解除処理部は、前記非常連絡先格納部に格納されている前記非常連絡先から着信を受けた場合、前記通話許可処理部の機能を解除し、前記所定の操作と関係なく通話できるようにするか、一般着信画面を活性化させる非常連絡実行部を含む、
請求項１ないし３の何れか一つの項に記載の通話制御装置。
【請求項５】
前記解除処理部は、前記通話許可処理部の機能を解除して一般着信画面を活性化する一般通話モードに切り替えるためのパスワードを格納し、外部から遠隔接続で該パスワードが入力されると、一般通話モードに切り替える切替部をさらに含む、
請求項４に記載の通話制御装置。
【請求項６】
前記通話受諾操作の内容は、前記通話制御装置に連絡先として格納されたそれぞれの連絡先または連絡先グループ別に設定可能である、
請求項１ないし４の何れか一つの項に記載の通話制御装置。
【請求項７】
前記所定の操作は、前記着信アイコンを開始点とした所定のパターンでのタッチ、ドラッグ、タッピング、及びフリッピングのうち少なくとも一つを含む、
請求項１ないし６の何れか一つの項に記載の通話制御装置。
【請求項８】
前記所定のパターンは、タッチ、ドラッグ、タッピング、フリッピングのうち少なくとも一つの操作を行う時間、回数、方向、及び強度のうち少なくとも一つを含む、
請求項７に記載の通話制御装置。
【請求項９】
前記着信アイコンは、一般着信画面上に表示する、
請求項１ないし８の何れか一つの項に記載の通話制御装置。
【請求項１０】
前記着信アイコンは、一般着信画面の通話アイコンと通話終了アイコンの代わりに表示する、
請求項１ないし８の何れか一つの項に記載の通話制御装置。
【請求項１１】
請求項１乃至１０の何れか一つの項に記載の通話制御装置を備える、
移動端末。
【請求項１２】
移動端末が、
電話の着信時に、タッチスクリーンに、一般着信画面の通話アイコン及び通話終了アイコンとは異なる、着信アイコンを表示する工程と、
前記着信アイコンを表示した後に、前記タッチスクリーンを介して、前記着信アイコンに対するユーザーからの所定の操作の入力を受ける工程と、
前記所定の操作と、前記着信アイコンに対して予め設定された通話受諾操作とを比較する工程と、
前記比較の結果、前記所定の操作と前記通話受諾操作とが一致する場合、通話を許可する工程と、
を実行し、
前記通話を許可する工程において、
前記所定の操作が前記一般着信画面のための通話受信操作の場合、通話を拒絶し、
前記所定の操作が前記一般着信画面のための通話受諾操作とは異なる操作の場合、前記所定の操作を前記予め設定された通話受諾操作と比較し、
比較の結果が一致する場合、通話を許可し、
比較の結果が一致しない場合、前記ユーザーが前記タッチスクリーンに入力する所定の操作を再度受け付ける、
通話制御方法。
【請求項１３】
前記通話受諾操作を設定する工程をさらに備え、
前記設定する工程は、
前記通話受諾操作を設定するための設定画面を出力する工程と、
前記設定画面を介して前記ユーザーから前記通話受諾操作の入力を受けて格納する工程と、
を含み、
前記比較する工程は、前記所定の操作と前記格納する工程で格納した前記通話受諾操作とを比較する工程を含み、
前記許可する工程は、前記所定の操作と前記格納する工程で格納した前記通話受諾操作との比較の結果、前記所定の操作と前記格納する工程で格納した前記通話受諾操作が一致する場合、前記通話を許可する工程を含む、
請求項１２に記載の通話制御方法。
【請求項１４】
前記タッチスクリーンへの最初のタッチから前記所定の操作の入力を完了するまでの有効時間を設定して格納する工程と、
前記タッチスクリーンへの前記最初のタッチから前記有効時間が経過するまでに前記所定の操作の入力が完了しない場合、前記通話を拒絶する工程と、
をさらに備える、
請求項１２または１３に記載の通話制御方法。
【請求項１５】
非常連絡先情報の入力を受けて格納する工程と、
前記比較する工程と前記許可する工程を解除する工程と、
をさらに備え、
前記解除する工程は、前記非常連絡先から着信する電話の場合、前記比較する工程と前記許可する工程を解除し、前記所定の操作と関係なく通話できるようにするか、一般着信画面を活性化させる工程を含む、
請求項１２乃至１４の何れか一つの項に記載の通話制御方法。
【請求項１６】
前記解除する工程は、前記通話を許可する工程における処理を解除して一般着信画面を活性化する一般通話モード切替パスワードを格納し、外部から遠隔接続で該パスワードが入力されると、一般通話モードに切り替える工程をさらに含む、
請求項１５に記載の通話制御方法。
【請求項１７】
前記通話受諾操作の内容を、前記移動端末に連絡先として格納されたそれぞれの連絡先または連絡先グループ別に設定する工程をさらに含む、
請求項１２乃至１５の何れか一つの項に記載の通話制御方法。
【請求項１８】
前記所定の操作は、前記着信アイコンを開始点とした所定のパターンでのタッチ、ドラッグ、タッピング、及びフリッピングのうち少なくとも一つを含む、
請求項１２乃至１７の何れか一つの項に記載の通話制御方法。
【請求項１９】
前記所定のパターンは、タッチ、ドラッグ、タッピング、フリッピングのうち少なくとも一つの操作を行う時間、回数、方向、及び強度のうち少なくとも一つを含む、
請求項１８に記載の通話制御方法。
【請求項２０】
前記着信アイコンを表示する工程において、前記着信アイコンを、一般着信画面上に表示する、
請求項１２乃至１９の何れか一つの項に記載の通話制御方法。
【請求項２１】
前記着信アイコンを表示する工程において、前記着信アイコンを、一般着信画面の通話アイコンと通話終了アイコンの代わりに表示する、
請求項１２乃至１９の何れか一つの項に記載の通話制御方法。
【発明の詳細な説明】
【技術分野】
【０００１】
本発明は、通話制御装置、通話制御方法、及び移動端末に関する。
【０００２】
より詳しくは、電話の着信時に、ユーザーから予め設定された所定の操作の入力を受けて電話を受信するようにし、移動端末の所有者が留守の間に電話が着信した場合、他人が電話を受信できなくすることで個人情報を保護する通話制御装置、通話制御方法、及び移動端末に関する。
【背景技術】
【０００３】
一般に、移動通信端末機（以下、「移動端末」）は、ユーザーが端末機を介して音声や映像、データなどを場所を問わずに通信できるように移動性をもつ通信機器である。
【０００４】
このような移動端末の体表的な例として、スマートフォンを挙げられる。スマートフォンは、プログラム駆動及びデータ通信、ＰＣ連動などの機能を提供する高機能移動端末である。スマートフォンは、携帯電話と個人用携帯情報端末機（ＰＤＡ）の長所を組み合わせた複合型の無線通信機器で、携帯電話の機能にＰＤＡの機能を加えたのが一般的で、音声通信はもちろん、ＰＣ連動、個人情報管理、無線インタネットなどが可能なので、広く普及されている。
【０００５】
特許文献１は、移動通信システムで着信電話を制御する装置及び方法を記載している。
【先行技術文献】
【特許文献】
【０００６】
【特許文献１】韓国公開特許第１０−２００９−００００２７８号公報
【発明の概要】
【発明が解決しようとする課題】
【０００７】
このような移動端末の発展とともに、最近技術情報及び各種の個人情報の流出のため、経済的または社会的な問題が発生することになり、私生活の保護に対する関心も高まっている。
【０００８】
しかし、現在広く使われているスマートフォンの場合、所有者が留守の間に電話が着信すると、だれでも着信画面を操作して通話ができるので、意図してないうちに個人の私生活が公開されてしまう通話保安問題が発生する恐れがある。
【０００９】
従って、スマートフォンの所有者以外の他人による電話の受信ができなくし、通話保安問題を解決する必要がある。
【００１０】
本発明が解決しようとする一つの技術的課題は、移動端末の所有者が留守の間に電話の着信があっても、所有者以外には電話を受信できないようにする通話制御装置、通話制御方法、及び移動端末を提供することである。
【課題を解決するための手段】
【００１１】
本発明の実施例においては、電話の着信時に、一般着信画面の通話アイコン及び通話終了アイコンとは異なる、着信アイコンを表示する表示部と、表示部が着信アイコンを表示した後に、着信アイコンに対するユーザーからの所定の操作の入力を受けるタッチスクリーンと、所定の操作と、着信アイコンに対して予め設定された通話受諾操作とを比較し、比較の結果、所定の操作と通話受諾操作とが一致する場合、通話を許可する通話許可処理部を含む制御部と、を備える通話制御装置を提供する。
【００１２】
本発明の実施例において、制御部は、通話受諾操作を設定する設定部をさらに含み、設定部は、通話受諾操作を設定するための設定画面を出力する設定画面表示部と、設定画面表示部を介してユーザーから通話受諾操作の入力を受けて格納する通話受諾操作格納部と、を含み、通話許可処理部は、所定の操作と通話受諾操作格納部に格納されている通話受諾操作とを比較し、比較の結果、所定の操作と通話受諾操作格納部に格納されている通話受諾操作とが一致する場合、通話を許可する。
【００１３】
本発明の実施例において、制御部は、タッチスクリーンへのタッチから所定の操作の入力を完了するまでの有効時間を設定して格納する有効時間格納部と、タッチスクリーンへのタッチから有効時間が経過するまでに所定の操作の入力が完了しない場合、通話を拒絶する通話拒絶処理部と、をさらに含む。
【００１４】
本発明の実施例において、制御部は、非常連絡先情報の入力を受けて格納する非常連絡先格納部と、通話許可処理部の機能を解除する解除処理部と、をさらに含み、解除処理部は、非常連絡先格納部に格納されている非常連絡先から着信を受けた場合、通話許可処理部の機能を解除し、所定の操作と関係なく通話できるようにするか、一般着信画面を活性化させる非常連絡実行部を含む。
【００１５】
本発明の実施例において、解除処理部は、通話許可処理部の機能を解除して一般着信画面を活性化する一般通話モードに切り替えるためのパスワードを格納し、外部から遠隔接続で該パスワードが入力されると、一般通話モードに切り替える切替部をさらに含む。
【００１６】
本発明の実施例において、通話受諾操作の内容は、連絡先に格納されたそれぞれの連絡先または連絡先グループ別に設定可能である。
【００１７】
本発明の実施例において、所定の操作は、着信アイコンを開始点とした所定のパターンでのタッチ、ドラッグ、タッピング、及びフリッピングのうち少なくとも一つを含む。
【００１８】
本発明の実施例において、所定のパターンは、タッチ、ドラッグ、タッピング、フリッピングのうち少なくとも一つの操作を行う時間、回数、方向、及び強度のうち少なくとも一つを含む。
【００１９】
本発明の実施例において、着信アイコンは、一般着信画面上に表示する。
【００２０】
本発明の実施例において、着信アイコンは、一般着信画面の通話アイコンと通話終了アイコンの代わりに表示する。
【００２１】
本発明の実施例においては、上記の通話制御装置を備える、携帯端末を提供する。
【００２２】
本発明の実施例においては、タッチスクリーンに、一般着信画面の通話アイコン及び通話終了アイコンとは異なる、着信アイコンを表示する工程と、着信アイコンを表示した後に、タッチスクリーンを介して、着信アイコンに対するユーザーからの所定の操作の入力を受ける工程と、所定の操作と、着信アイコンに対して予め設定された通話受諾操作とを比較する工程と、比較の結果、所定の操作と通話受諾操作とが一致する場合、通話を許可する工程と、を備える、通話制御方法を提供する。
【００２３】
本発明の実施例において、通話受諾操作を設定する工程をさらに備え、設定する工程は、通話受諾操作を設定するための設定画面を出力する工程と、設定画面を介してユーザーから通話受諾操作の入力を受けて格納する工程と、を含み、比較する工程は、所定の操作と格納する工程で格納した通話受諾操作とを比較する工程を含み、許可する工程は、所定の操作と格納する工程で格納した通話受諾操作との比較の結果、所定の操作と格納する工程で格納した通話受諾操作が一致する場合、通話を許可する工程を含む。
【００２４】
本発明の実施例において、タッチスクリーンへの最初のタッチから所定の操作の入力を完了するまでの有効時間を設定して格納する工程と、タッチスクリーンへの最初のタッチから有効時間が経過するまでに所定の操作の入力が完了しない場合、通話を拒絶する工程と、をさらに備える。
【００２５】
本発明の実施例において、非常連絡先情報の入力を受けて格納する工程と、比較する工程と許可する工程を解除する工程と、をさらに備え、解除する工程は、非常連絡先から着信する電話の場合、比較する工程と許可する工程を解除し、所定の操作と関係なく通話できるようにするか、一般着信画面を活性化させる工程を含む。
【００２６】
本発明の実施例において、解除する工程は、通話許可処理部の機能を解除して一般着信画面を活性化する一般通話モード切替パスワードを格納し、外部から遠隔接続で該パスワードが入力されると、一般通話モードに切り替える工程をさらに含む。
【００２７】
本発明の実施例において、通話受諾操作の内容を、連絡先に格納されたそれぞれの連絡先または連絡先グループ別に設定する工程をさらに含む。
【００２８】
本発明の実施例において、所定の操作は、着信アイコンを開始点とした所定のパターンでのタッチ、ドラッグ、タッピング、及びフリッピングのうち少なくとも一つを含む。
【００２９】
本発明の実施例において、所定のパターンは、タッチ、ドラッグ、タッピング、フリッピングのうち少なくとも一つの操作を行う時間、回数、方向、及び強度のうち少なくとも一つを含む。
【００３０】
本発明の実施例において、着信アイコンを表示する工程において、着信アイコンを、一般着信画面上に表示する。
【００３１】
本発明の実施例において、着信アイコンを表示する工程において、着信アイコンを、一般着信画面の通話アイコンと通話終了アイコンの代わりに表示する。
【発明の効果】
【００３２】
本発明によれば、着信画面で、予め設定した所定の操作を介して通話を可能にすることで、移動端末の所有者が留守の間に電話の着信があっても、所有者以外の他人による電話を受信できなくし、通話保安問題を解決できるという効果を奏する。
【図面の簡単な説明】
【００３３】
【図１】本発明の実施例に係る通話制御装置の構成図である。
【図２】本発明の実施例に係る制御部の構成図である。
【図３】本発明の実施例に係る通話受諾操作設定方法を説明するためのフローチャートである。
【図４】本発明の実施例に係る通話受諾操作設定方法を説明するためのフローチャートである。
【図５】本発明の実施例に係る非常連絡先設定方法を説明するためのフローチャートである。
【図６】本発明の実施例に係る通話制御方法を説明するためのフローチャートである。
【図７】本発明の実施例に係る通話拒絶方法の適用例を説明するための概略図であり、図７ａと７ｂは、ドラック操作による通話拒絶方法を説明するための概略図であり、図７ｃは、タッチ操作による通話拒絶方法を説明するための概略図である。
【図８】本発明の実施例に係る通話受信方法の適用例を説明するための概略図である。
【発明を実施するための形態】
【００３４】
以下では、添付の図面を参照して、本発明の実施例に係る通話制御装置、通話制御方法、及び移動端末について詳しく説明する。
【００３５】
図１は、本発明の実施例に係る通話制御装置（１００）の構成図である。
【００３６】
図１に示すように、本発明の実施例に係る通話制御装置（１００）を内蔵した移動端末（１）は、ネットワーク（１３０）を介してサーバー（１５０）と接続される。
【００３７】
通話制御装置（１００）は、タッチスクリーン（１０１）、制御部（１０２）、及び通信部（１０３）を備える。
【００３８】
タッチスクリーン（１０１）は、ディスプレイ部(不図示)とタッチ動作を感知するタッチセンサー(不図示)とで構成される。ディスプレイ部は、出力装置の他に入力装置としても用いられる。タッチセンサーは、タッチフィルム、タッチシート、タッチパッドなどの形態として構成される。
【００３９】
タッチセンサーは、ディスプレイ部の特定部位に加えられた圧力またはディスプレイ部の特定部位に発生する静電容量などの変化を電気的入力信号に変換するように構成される。タッチセンサーは、タッチする位置や面積のみならず、タッチ時の圧力までも検出するように構成することができる。
【００４０】
タッチセンサーに対するタッチ入力があった場合、それに対応する信号は、タッチ制御部(不図示)に転送される。タッチ制御部は、当該信号を処理し、該当するデータを制御部（１０２）に転送する。これで、制御部（１０２）は、ディスプレイ部のどの領域にタッチ動作が行われたのかなどを分かることになる。
【００４１】
即ち、タッチスクリーン（１０１）は、電話の着信画面などを出力するディスプレイ部と、ユーザーからのドラッグなどの操作入力を受けて制御部（１０２）に転送するタッチセンサー及びタッチ制御部とで構成される。
【００４２】
通信部（１０３）は、移動端末（１）と電話の送受信をするための基地局(不図示)との間、または移動端末（１）と移動端末（１）が位置するネットワーク（１３０）との間での通信を可能にする少なくとも一つのモジュールを含む。例えば、通信部（１０３）は、移動通信部、近距離通信部、及び無線インタネット部などを含む。
【００４３】
移動通信部は、移動通信網で基地局、外部の端末、サーバーのうち少なくとも一つと間で無線信号を送受信する。無線信号は、音声呼出信号、ビデオコール呼出信号、または文字・マルチメディアメッセージの送受信による様々な形態のデータを含む。
【００４４】
無線インタネット部は、無線インタネットへ接続するためのモジュールであり、このような技術としては、ＷＬＡＮ（Ｗｉｒｅｌｅｓｓ  Ｌｏｃａｌ  Ａｒｅａ  Ｎｅｔｗｏｒｋ）（Ｗｉ−Ｆｉ）、Ｗｉｂｒｏ（Ｗｉｒｅｌｅｓｓ  Ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などを利用することができる。
【００４５】
近距離通信部は、近距離通信（Ｓｈｏｒｔ  Ｒａｎｇｅ  Ｃｏｍｍｕｎｉｃａｔｉｏｎ）を行うためのモジュールであり、このような技術としては、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ：Ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）などを利用することができる。
【００４６】
図２は、本発明の実施例に係る制御部（１０２）の構成図である。
【００４７】
図２に示すように、制御部（１０２）は、通話許可処理部（２１０）、設定部（２２０）、解除処理部(２３０)、及び通話拒絶処理部（２４０）を含む。
【００４８】
本発明の実施例に係るタッチスクリーン（１０１）は、電話の着信時に、着信アイコン（セキュリティーコールボタン）を表示し、ユーザーから所定の操作（例えば、ドラッグ操作）の入力を受ける。ここで、着信アイコン（セキュリティーコールボタン）は、スマートフォンなどで通常電話が着信すると表示される一般着信画面の通話アイコン及び通話終了アイコンとは異なる別の「本発明の実施例に係るアイコン」で、一般着信画面上に通話アイコン及び通話終了アイコンとともに表示することもできるし、一般着信画面の表示なしに単独で表示することもできる。
【００４９】
通話許可処理部（２１０）は、電話が着信したとき、着信画面でユーザーから所定の操作の入力を受け、入力された所定の操作と設定部（２２０）の格納部（２２２）に予め格納されている電話を受信するための操作（以下、「通話受諾操作」）とを比較し、比較の結果に基づいて電話の受信可否を決定する。
【００５０】
本発明の実施例で、着信画面を介してのユーザーの所定の操作は、着信アイコンを開始点とした所定のパターンでのタッチ、ドラッグ、タッピング、及びフリッピングのうち少なくとも一つを含む。
【００５１】
本発明の実施例で、所定のパターンは、タッチ、ドラッグ、タッピング、フリッピングのうち少なくとも一つの操作を行う時間、回数、方向、及び強度のうち少なくとも一つを含む。
【００５２】
通話受諾操作がドラッグ操作の場合、ドラッグ操作の方向（以下、「通話受諾方向」）を設定することができ、またはドラッグ操作の終了点が属する領域（以下、「通話受諾領域」）を指定することができる。
【００５３】
通話受諾操作としてドラッグ操作の方向を設定した場合、着信画面での操作の方向が通話受諾方向と一致すると電話を受信し、一致しないと電話を受信しないでユーザーから再度ドラッグ操作の入力を受けることができる。
【００５４】
また、通話受諾操作としてドラッグ操作の終了点が属する領域を設定した場合、着信画面での操作の終了点が通話受諾操作として設定した領域に含まれると電話を受信し、含まれないと電話を受信しないでユーザーから再度ドラッグ操作の入力を受けることができる。
【００５５】
設定部（２２０）は、設定画面表示部（２２１）、格納部（２２２）、有効時間格納部（２２３）、及び非常連絡先格納部（２２４）を含む。
【００５６】
設定画面表示部（２２１）は、通話受諾方向または通話受諾領域を設定するための画面を出力し、格納部（２２２）は、設定画面でユーザーから入力された通話受諾方向（例えば、ドラッグ操作方向）または通話受諾領域(例えば、ドラッグ操作の終了点が属する領域)を格納する。
【００５７】
このような通話受諾操作は、移動端末（１）の住所録に格納されているすべての連絡先に対して共通の操作内容に設定することもできるし、個別連絡先または個別連絡先グループ別に異なる操作内容に設定することができる。
【００５８】
ここで、個別連絡先とは、住所録に格納されているそれぞれの連絡先の番号を意味し、個別連絡先グループとは、一定のカテゴリでグループ化した住所録の複数の連絡先（例えば、家族、友達など）を意味する。
【００５９】
個別連絡先または個別連絡先グループ別に通話受諾操作を設定するときには、格納部（２２２）に連絡先または連絡先グループとこれに対応する通話受諾操作に関する情報を一緒に格納することができる。
【００６０】
有効時間格納部（２２３）は、最初のタッチ操作の後に、例えば、有効なドラッグ操作が入力されるまでの時間（以下、「有効時間」）を設定して格納する。有効時間は、通話受諾操作を受け付けることができる時間であり、例えば、ユーザーからタッチ操作があってからの経過時間により定められる。有効時間は、着信があってからの経過時間により定められるものであってもよい。
【００６１】
非常連絡先格納部（２２４）は、所有者を含むすべての人が電話を受信できるように、予め設定した非常連絡先に関する情報を格納する。
【００６２】
解除処理部(２３０)は、非常連絡実行部（２３１）及び切替部（２３２）を含む。
【００６３】
非常連絡実行部（２３１）は、非常連絡先格納部（２２４）に格納されている非常連絡先から電話が着信する場合、通話許可処理部（２１０）の機能を解除するか、一般着信画面を表示する。
【００６４】
通話許可処理部（２１０）の機能を解除する場合は、タッチ操作の位置またはドラッグ操作の方向や終了点に関係なく、ユーザーからの操作が入力されると電話を受信できるようにする。
【００６５】
一般着信画面では、移動端末（１）の製造元によって設定された方向に所定のアイコンをドラッグして電話を受信することになり、一般的には、通話アイコンを通話終了アイコンの方向にドラッグして電話を受信する。
【００６６】
また、ユーザーの設定により、通話許可処理部（２１０）の機能解除または一般着信画面表示の選択を含み、予め設定した着信モード情報とこれに対応する非常連絡先情報を一緒に非常連絡先格納部（２２４）に格納することができる。
【００６７】
切替部（２３２）は、ユーザーによって予め設定された一般通話切替パスワードを格納し、外部から遠隔接続で一般通話切替パスワードが入力されると、一般通話モードに切り替える機能をもつ。
【００６８】
通話拒絶処理部（２４０）は、ユーザーからタッチ操作があってから有効時間格納部（２２３）に格納されている有効時間の間に何の操作も入力されない場合、通話を拒絶することができる。通話拒絶処理部（２４０）は、着信があってから、有効時間格納部（２２３）に格納されている有効時間の間に何の操作も入力されない場合に、通話を拒絶してもよい。
【００６９】
さらに、通話拒絶処理部（２４０）は、ユーザーから一般着信画面で行う、所定の方向（例えば、水平方向）へのドラッグ操作が入力される場合にも通話を拒絶することができる。通話拒絶処理部（２４０）は、通常の操作に用いられる頻度が低い、タッチスクリーンの外枠から所定の領域（例えば、外枠から１ｃｍ以内の領域）において行われる所定の方向へのドラッグ操作が入力される場合に通話を拒絶してもよい。
【００７０】
図３は、本発明の実施例に係る通話受諾操作設定方法を説明するためのフローチャートである。
【００７１】
図３に示すように、本発明の実施例に係る通話受諾操作の設定方法で、設定画面表示部（２２１）は、通話受諾操作設定画面をタッチスクリーン（１０１）に出力する（ステップＳ３１０）。本発明の実施例で、設定画面表示部（２２１）は、通話受諾操作設定画面において、着信アイコン（セキュリティーコールボタン）のみを出力する。さらに、設定画面表示部（２２１）は、通話受諾操作として通話受諾方向を設定した場合は、着信アイコンとともに方向指示線を出力することもでき、通話受諾領域を設定した場合は、着信アイコンとともに通話受諾領域を出力することもできる。
【００７２】
設定部（２２０）は、ユーザーからタッチスクリーン（１０１）を介して通話受諾操作の入力を一次的に受け、格納部（２２２）に一時的に格納する（ステップＳ３２０）。入力された通話受諾操作を確認するため、再度同じ操作の入力を複数回にわたって受けることができる（ステップＳ３３０）。ステップＳ３２０で入力された操作と、ステップＳ３３０で入力された操作が一致するか否かを比較し（ステップＳ３４０）、両方が一致しないと、操作方向の再入力を受ける過程（ステップＳ３３０）を繰り返し、一致すると、入力された操作を通話受諾操作として格納部（２２２）に格納する（ステップＳ３５０）。
【００７３】
図４は、本発明の実施例に係る通話受諾操作設定方法を説明するためのフローチャートである。
【００７４】
図４に示すように、本発明の実施例に係る通話受諾操作を設定する方法で、ユーザーによって、タッチスクリーン（１０１）を介して通話受諾操作を設定するための連絡先または連絡先グループが選択される（ステップＳ４１０）。ここで、個別連絡先とは、住所録に格納されているそれぞれの連絡先の番号を意味し、個別連絡先グループとは、一定のカテゴリでグループ化した住所録の多数の連絡先（例えば、家族、友達など）を意味する。図３に示すように、すべての着信番号に対して同じ通話受諾操作を設定する場合は、連絡先または連絡先グループを選択する過程を省略することができる。
【００７５】
選択された連絡先または連絡先グループに対して個別設定を選択すると(ステップＳ４２０)、設定画面表示部（２２１）は、通話受諾操作設定画面をタッチスクリーン（１０１）に出力する（ステップＳ４３０）。設定画面表示部（２２１）は、通話受諾操作設定画面では、着信アイコンを表示し、通話受諾操作として通話受諾方向を設定した場合は、方向指示線をさらに表示し、通話受諾領域を設定した場合は、通話受諾領域の候補領域をさらに表示する。
【００７６】
設定部（２２０）は、ユーザーから、タッチスクリーン（１０１）を介して所定の操作の入力を一次的に受け、格納部（２２２）に一時的に格納する（ステップＳ４４０）。設定部（２２０）は、入力された通話受諾操作を確認するため、再度同じ操作の入力を複数回にわたって受けることができる（ステップＳ４５０）。設定部（２２０）は、ステップＳ４４０で入力された操作と、ステップＳ４５０で入力された操作が一致するか否かを比較し（ステップＳ４６０）、両方が一致しないと、操作方向の再入力を受ける過程（ステップＳ４５０）を繰り返し、一致すると、入力された操作を通話受諾操作として格納部（２２２）に格納する（ステップＳ４７０）。このとき、設定部（２２０）は、ステップＳ４１０で指定した連絡先または連絡先グループを一緒に格納することができる。
【００７７】
図５は、本発明の実施例に係る非常連絡先設定方法を説明するためのフローチャートである。
【００７８】
スマートフォンのような移動端末（１）を紛失した場合は、セキュリティーコールボタンの機能を解除し、すべてのユーザーが電話を受信できるように設定することが望まれる。
【００７９】
図５に示すように、ユーザーは、移動端末（１）を紛失した場合に紛失した移動端末（１）を鳴動させ、移動端末（１）の近くにいる人が着信を受けられるようにするための非常連絡先を住所録から選択するか、入力する（ステップＳ５１０）。このとき、非常連絡先は一つまたは複数を設定することができる。それから、非常連絡先から受信した電話の着信モードを選択する（ステップＳ５２０）。着信モードとしては、一般通話モードとセキュリティーコールボタン解除モードを選択することができる。一般通話モードを選択すると、一般着信画面が表示され、通話アイコンを横に（水平に）ドラッグして電話を受信することができる。セキュリティーコールボタン解除モードを選択すると、タッチスクリーン（１０１）の任意の領域へのタッチ操作や任意の方向へのドラッグ操作によって電話を受信することができる。非常連絡先と着信モードが入力されると、入力された非常連絡先とこれに対応する着信モードを非常連絡先格納部（２２４）とサーバー（１５０）のうち少なくとも一つに格納する（ステップＳ５３０）。
【００８０】
図６は、本発明の実施例に係る通話制御方法を説明するためのフローチャートである。
【００８１】
図６に示すように、電話が着信すると、着信番号と非常連絡先格納部（２２４）またはサーバー（１５０）に登録されている非常連絡先とを比較する（ステップＳ６１０）。比較の結果、着信番号が登録されている非常連絡先と一致すると、解除処理部(２３０)の非常連絡実行部（２３１）に登録されている着信モードが一般通話モードなのか、セキュリティーコールボタン機能解除モードなのかを確認し（ステップＳ６１１）、一般通話モードの場合は、一般着信画面を出力し（ステップＳ６２１）、セキュリティーコールボタン機能解除モードの場合は、セキュリティーコールボタンの機能を解除し（ステップＳ６１２）、タッチ操作の位置やドラッグ操作の方向などに関係なくユーザーからの操作が入力されると（ステップＳ６１３）、通話を受信できるようになる。
【００８２】
着信番号が登録されている非常連絡先と一致しないと、設定部（２２０）の格納部（２２２）でセキュリティーコールボタンが全体設定なのか否かを確認し（ステップＳ６１５）、全体設定でない場合は、個別的に設定した番号なのかを再度確認する（ステップＳ６２０）。個別的に設定された番号でもない場合は、一般着信画面を表示し（ステップＳ６２１）、通話を受信できるようにする。
【００８３】
セキュリティーコールボタン機能がすべての連絡先に対して設定されているか、または着信番号が個別的に設定した連絡先または連絡先グループに属している場合は、通話許可処理部（２１０）でセキュリティーコールボタン機能が実行される。
【００８４】
セキュリティーコールボタン機能が実行されると、着信アイコンのみがタッチスクリーン（１０１）に出力される（不図示）。着信アイコンのみが表示された状況で、ユーザーから第１タッチ操作が入力される（ステップＳ６２５）。ここで、タッチ操作とは、ユーザーの手またはスタイラスペンなどがタッチスクリーン（１０１）に接続することを意味する。タッチ操作が入力されてから有効時間格納部（２２３）に格納されている有効時間が経過したかを確認し（ステップＳ６３０）、第１タッチ操作が入力されてから有効時間格納部（２２３）に格納されている有効時間が過ぎるまで何の操作も入力されないと、通話拒絶処理部（２４０）で通話を拒絶する（ステップＳ６３１）。
【００８５】
第１タッチ操作が入力されてから、有効時間内に第１ドラッグ操作が入力されると（ステップＳ６３５）、例えば、水平方向へのドラッグ操作なのか否かを確認する(ステップＳ６４０)。第１ドラッグ操作が水平方向へのドラッグ操作であれば、通話を拒絶し（ステップＳ６３１）、水平方向へのドラッグ操作でなければ、格納部（２２２）に格納されている通話受諾操作と比較し（ステップＳ６４５）、両方が一致しないと、第１タッチ操作から再度入力を受けることができる。入力操作と通話受諾操作が一致すると、電話を受信して通話をつなげる。
【００８６】
図７ａないし７ｃは、本発明の実施例に係る通話制御装置の適用例を説明するための概略図であり、特に通話を拒絶する方法に関するものである。
【００８７】
図７ａないし７ｃに示すように、電話が着信し、着信アイコン（ＣＩ）が出力された状態で、水平方向へのドラッグ操作（ＤＲ＿１、ＤＲ＿２）またはタッチ操作（ＴＣ＿１）が入力された場合は、通話拒絶処理（２４０）で通話を拒絶することになる。
【００８８】
図８ａ及び８ｂは、本発明の実施例に係るセキュリティーコールボタンの適用例を説明するための概略図であり、特に通話を受諾する方法に関するものである。
【００８９】
図８ａ及び８ｂに示すように、電話が着信し、着信アイコン（ＣＩ）が出力された状態で、着信番号に該当する通話受諾操作と一致する方向（通話受諾方向に設定した場合）または通話受諾操作と一致する領域（通話受諾領域に設定した場合）でのドラッグ操作（ＤＲ＿１、ＤＲ＿２）によって通話を受信できるようになる。
【００９０】
即ち、通話受諾方向に設定した場合は、ドラッグ操作の方向（ＤＲ＿１、ＤＲ＿２）によって電話を受信できるようになり、通話受諾領域に設定した場合は、通話受諾領域（ＣＡ＿１、ＣＡ＿２）へのドラッグ操作（ＤＲ＿１、ＤＲ＿２）で電話を受信できるようになる。
【００９１】
上記のように、本発明の実施例に係る通話制御装置は、電話の着信時に、着信アイコンを表示するとともに、ユーザーから所定の操作の入力を受けるタッチスクリーンと、所定の操作と、予め設定された通話受諾操作とを比較し、比較の結果、所定の操作と該通話受諾操作とが一致する場合、通話を許可する通話許可処理部を含む制御部と、を備える。
【００９２】
また、本発明の実施例に係る通話制御方法は、電話の着信時に、タッチスクリーンに着信アイコンを表示する工程と、ユーザーから、タッチスクリーンを介して、所定の操作の入力を受ける工程と、所定の操作と、予め設定された通話受諾操作とを比較する工程と、比較の結果、所定の操作と通話受諾操作とが一致する場合、通話を許可する工程と、を備える。
【００９３】
本発明の実施例で、所定の操作は、着信アイコンを開始点とした所定のパターンでのタッチ、ドラッグ、タッピング、及びフリッピングのうち少なくとも一つを含む。
【００９４】
本発明の実施例で、所定のパターンは、タッチ、ドラッグ、タッピング、フリッピングのうち少なくとも一つの操作を行う時間、回数、方向、及び強度のうち少なくとも一つを含む。
【００９５】
例えば、所定のパターンとして、タッチ操作の時間、回数、速度、及び強弱によるパターン、ドラッグ操作の時間、回数、方向、速度、及び強弱によるパターン、タッピング操作の回数、速度、及び強弱によるパターン、フリッピング操作回数、速度、及び強弱によるパターン、及びこれらのパターンの組み合わせを用いることができる。
【００９６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００９７】
１：移動端末                          １００：通話制御装置
１０１：タッチスクリーン              １０２：制御部
１０３：通信部                        １３０：ネットワーク
１５０：サーバー                      ２１０：通話許可処理部
２２０：設定部                        ２２１：設定画面表示部
２２２：通話受諾操作格納部            ２２３：有効時間格納部
２２４：非常連絡先格納部              ２３０：解除処理部
２３１：非常連絡実行部                ２３２：切替部
２４０：通話拒絶処理部
【要約】
【課題】移動端末の所有者が留守の間に電話の着信があっても、所有者以外には電話を受信できないようにする通話制御装置、通話制御方法、及び移動端末を提供する。
【解決手段】通話制御装置は、電話の着信時に、一般着信画面の通話アイコン及び通話終了アイコンとは異なる、着信アイコンを表示する表示部と、表示部が着信アイコンを表示した後に、着信アイコンに対するユーザーからの所定の操作の入力を受けるタッチスクリーンと、所定の操作と、着信アイコンに対して予め設定された通話受諾操作とを比較し、比較の結果、所定の操作と通話受諾操作とが一致する場合、通話を許可する通話許可処理部を含む制御部と、を備える。
【選択図】図１【図１】
0005889474.tif 000002
【図２】
0005889474.tif 000003
【図３】
0005889474.tif 000004
【図４】
0005889474.tif 000005
【図５】
0005889474.tif 000006
【図６】
0005889474.tif 000007
【図７】
0005889474.tif 000008
【図８】
0005889474.tif 000009